(57)【要約】【課題】信号ケーブル及び制御ユニットを備えるオーディオ装置を提供する。【解決手段】制御ユニットは、ケース、金属回路、及びマイクロフォンを含む。ケースは、外観面及び絶縁内面を有している。金属回路は、絶縁内面上に配置され、絶縁内面に直接接触し、信号ケーブルに電気的に接続される。マイクロフォンは、絶縁内面上に配置され、金属回路に接着される。【選択図】図３
2016123068.tif 000002
【特許請求の範囲】
【請求項１】
オーディオ装置であって、
信号ケーブルと、
制御ユニットと、を備え、
前記制御ユニットは、
外観面及び絶縁内面を有するケースと、
前記絶縁内面上に配置され、前記絶縁内面に直接接触し、かつ前記信号ケーブルに電気的に接続される金属回路と、
前記絶縁内面上に配置され、前記金属回路に接着されたマイクロフォンと、を備えている、
オーディオ装置。
【請求項２】
前記制御ユニットは、前記絶縁内面上に配置され、前記金属回路に接着されるキーをさらに備えている、請求項１に記載のオーディオ装置。
【請求項３】
前記制御ユニットは、前記キーの周囲と前記絶縁内面との間に沈着された保護接着剤をさらに備えている、請求項２に記載のオーディオ装置。
【請求項４】
前記ケースは、固定部及び可動部を備え、前記金属回路は、前記固定部に位置し、前記可動部は、前記固定部に可動自在に組み付けられ、前記キーを押すために使用される、請求項２又は３に記載のオーディオ装置。
【請求項５】
前記ケースは、２つのライン入力ポートをさらに有し、前記各ライン入力ポートの内側には、遮断構造物があり、前記ライン入力ポートを通る前記信号ケーブルの部分は、Ｓ字状にする、請求項１乃至４のいずれか一項に記載のオーディオ装置。
【請求項６】
前記ケースは、受音孔をさらに有し、前記受音孔の位置は、前記マイクロフォンに一致する、請求項１乃至５のいずれか一項に記載のオーディオ装置。
【請求項７】
前記ケースは、前記受音孔及び前記マイクロフォンを囲む隔離壁をさらに有している、請求項６に記載のオーディオ装置。
【請求項８】
前記金属回路は、電気メッキにより、前記絶縁内面上に形成される、請求項１乃至７のいずれか一項に記載のオーディオ装置。
【請求項９】
前記ケースは、均一素材から構成される、請求項１乃至８のいずれか一項に記載のオーディオ装置。
【請求項１０】
前記信号ケーブル及び前記絶縁内面上の前記金属回路は、導電接着剤により、接着接合される、請求項１乃至９のいずれか一項に記載のオーディオ装置。
【請求項１１】
前記信号ケーブルに電気的に接続される少なくとも１つのイヤホンユニットをさらに備えている、請求項１乃至１０のいずれか一項に記載のオーディオ装置。
【発明の詳細な説明】
【技術分野】
【０００１】
本発明は、オーディオ装置に関し、特に、制御ユニットを備えるオーディオ装置に関する。
【背景技術】
【０００２】
継続的な工業技術の向上に伴い、電子製品は全て、軽量化及び小型化の傾向に向かって発展している。人々は、メディアエンターテイメントを楽しむために、ＭＰ３プレーヤ、スマートフォン、タブレット型コンピュータ又はノートブック型コンピュータ等の小型の電子製品をいつでもどこでも使用することができる。上記の電子製品がどんな種類であろうとも、ユーザが他人に迷惑をかけることなく電子製品から提供されるサウンド情報を聴くために、イヤホンは、既に電子製品にとって不可欠な装備品になっている。加えて、イヤホンは、空気中に伝送されて不明瞭な状況をもたらすサウンドとは異なるサウンドコンテンツをリスナが明確に聴いて理解できるように、リスナにより良いサウンド伝送を提供する。特に、ユーザは、激しい活動で又は騒音環境で動いている、例えば運動をしていたり、車を運転していたりする間中に、影響を受けることがない。
【０００３】
図１は、従来型イヤホンの制御ユニットの断面図である。図１を参照すると、従来型イヤホンの制御ユニット１００では、キー１２０が回路基板１１０の一方の表面上に配置され、マイクロフォン１３０が回路基板１１０の他方の表面上に配置されている。制御ユニット１００をより小型化するに伴い、必要とされることは、一つの構成要素の寸法に生じる誤差又は組立中に生じる誤差を考慮することであり、これらの誤差は、構成要素の機能に対し実質的な影響をもたらす。マイクロフォン１３０について言えば、回路基板１１０、マイクロフォン１３０又はケース１４０の寸法に生じる誤差は、マイクロフォン１３０とケース１４０との間にあるチャンバ１４２に漏れを発生する原因となり、マイクロフォン１３０によって集音されるサウンドがこもって聞こえるようになる。加えて、スペースが制限されるために、キー１２０とケース１４０との間の距離を、正確に制御する必要があり、さもなければ、キー１２０がケース１４０によって押されたままとなり、釈放できなくなるという問題が生じる。特に、構成要素が大量にあり、組立工程が複雑であるような状況下では、製品の歩留まりを上げることは容易ではなく、回路基板１１０の厚さでさえ、歩留まりに影響を与える主要因となり得る。
【発明の概要】
【発明が解決しようとする課題】
【０００４】
本発明の目的は、寸法及び組立の正確性が製品の歩留まりに影響を与えるという課題を改善することができるオーディオ装置を提供することにある。
【課題を解決するための手段】
【０００５】
本発明のオーディオ装置は、信号ケーブル及び制御ユニットを含む。制御ユニットは、ケース、金属回路、及びマイクロフォンを含む。ケースは、外観面及び絶縁内面を有する。金属回路は、絶縁内面上に配置され、絶縁内面に直接接触し、信号ケーブルに電気的に接続される。マイクロフォンは、絶縁内面上に配置され、金属回路に接着される。
【０００６】
本発明の一実施形態において、制御ユニットは、絶縁内面上に配置され、金属回路に接着されるキーをさらに含む。
【０００７】
本発明の一実施形態において、制御ユニットは、キーの周囲と絶縁内面との間に沈着された保護接着剤をさらに含む。
【０００８】
本発明の一実施形態において、ケースは、固定部及び可動部を含み、金属回路は、固定部に位置し、可動部は、固定部に可動自在に組み付けられ、キーを押すために使用される。
【０００９】
本発明の一実施形態において、ケースは、２つのライン入力ポートをさらに有し、各ライン入力ポートの内側には、遮断構造物があり、ライン入力ポートを通る信号ケーブルの部分は、Ｓ字状にする。
【００１０】
本発明の一実施形態において、ケースは、受音孔をさらに有し、受音孔の位置は、マイクロフォンに一致する。
【００１１】
本発明の一実施形態において、ケースは、受音孔及びマイクロフォンを囲む隔離壁をさらに有する。
【００１２】
本発明の一実施形態において、金属回路は、電気メッキにより、絶縁内面上に形成される。
【００１３】
本発明の一実施形態において、ケースは、均一素材から構成される。
【００１４】
本発明の一実施形態において、信号ケーブル及び絶縁内面上の金属回路は、導電接着剤により、接着接合される。
【００１５】
本発明の一実施形態において、信号ケーブルに電気的に接続される少なくとも１つのイヤホンユニットをさらに含む。
【発明の効果】
【００１６】
上記に基づき、本発明のオーディオ装置によれば、制御ユニット内部から回路基板を省く。これにより、寸法及び組立の正確性に影響する要因が減り、より高い製品の歩留まりを達成することが容易になる。
【００１７】
添付図面は、本発明のさらなる理解を提供するために含まれ、本明細書に組み込まれてその一部を構成する。図面は、本発明の実施形態を例示し、説明と併せて本発明の原理を説明するのに役立つ。
【図面の簡単な説明】
【００１８】
【図１】従来型イヤホンの制御ユニットの断面図である。
【図２Ａ】本発明の一実施形態に係るオーディオ装置の概略図である。
【図２Ｂ】本発明の他の実施形態に係るオーディオ装置の概略図である。
【図３】図２Ａに示すオーディオ装置の制御ユニットの断面図である。
【図４】マイクロフォンとケースとの間の距離がマイクロフォンの感度に及ぼす影響を示す図である。
【図５】本発明の他の実施形態に係るオーディオ装置の制御ユニットの断面図である。
【図６】マイクロフォンとケースとの間に漏れがあるかどうかが、マイクロフォンの感度に及ぼす影響を示す図である。
【発明を実施するための形態】
【００１９】
ここで、例が添付の図面に例示される、本発明の好適な実施形態について詳細に言及する。可能な限り、図面及び明細書内で同一又は同様の部分を指すために、同一の参照番号を使用する。
【００２０】
図２Ａは、本発明の一実施形態に係るオーディオ装置の概略図である。図２Ａを参照すると、本発明の一実施形態によるオーディオ装置５０Ａは、信号ケーブル５４及び制御ユニット２００を含む。本実施形態のオーディオ装置５０Ａは、さらに、雄コネクタ５６及び雌コネクタ５８を含むことができる。信号ケーブル５４は、雌コネクタ５８、制御ユニット２００及び雄コネクタ５６の順に、これらを一緒に接続する。雄コネクタ５６は、オーディオプレーヤ（図示せず）、例えばスマートフォン、タブレットコンピュータ又は他のオーディオプレーヤに接続するために使用される。信号ケーブル５４は、オーディオプレーヤにより提供されるオーディオ信号を使用するために雌コネクタ５８に接続されるイヤホン、スピーカ、又は他の受信装置（図示せず）のためにオーディオ信号を雌コネクタ５８に伝送する。信号ケーブル５４は、また、制御ユニット２００によって送られる制御信号をオーディオプレーヤに伝送する。本実施形態の信号ケーブル５４は、一例として、制御ユニット２００の外側に露出している。しかしながら、雄コネクタ５６は、制御ユニット２００に直接接続することもできるが、それでも、雄コネクタ５６は、実際には、制御ユニット２００の内部に隠された信号ケーブル５４によって、制御ユニット２００に電気的に接続される。加えて、雌コネクタ５８も、制御ユニット２００内に直接一体化させてもよいが、それでも、雌コネクタ５８は、実際には、制御ユニット２００の内部に隠される信号ケーブル５４によって制御ユニット２００に電気的に接続される。
【００２１】
図２Ｂは、本発明の他の実施形態に係るオーディオ装置の概略図である。図２Ｂを参照すると、本実施形態のオーディオ装置５０Ｂと図２Ａのオーディオ装置２Ａは、似ている。違いは、本実施形態のオーディオ装置５０Ｂは少なくとも１つのイヤホンユニット５２を含んでいることである。信号ケーブル５４は、イヤホンユニット５２、制御ユニット２００及び雄コネクタ５６の順に、これらを一緒に接続する。信号ケーブル５４は、オーディオプレーヤにより提供されるオーディオ信号をイヤホンユニット５２に伝送して、オーディオ信号をサウンドに変換するためにイヤホンユニット５２を駆動させる。加えて、本実施形態では、一例として、単一のイヤホンユニット５２を用いているが、他の実施形態では、ユーザにステレオ感を提供するために２つのイヤホンユニットを含むことができる。
【００２２】
図３を参照すると、制御ユニット２００は、ケース２１０、金属回路２２０、少なくとも１つのキー２３０、及び１つのマイクロフォン２４０を含む。ケース２１０は、外観面２１２及び絶縁内面２１４を有している。金属回路２２０は、絶縁内面２１４上に配置され、絶縁内面２１４に直接接触し、信号ケーブル５４に電気的に接続される。キー２３０は、絶縁内面２１４上に配置され、金属回路２２０に接着される。マイクロフォン２４０は、絶縁内面２１４上に配置され、金属回路２２０に接着される。さらに具体的には、ケース２１０の外観面２１２は、制御ユニット２００を使用するときにユーザが見ることができる面であり、ケース２１０の絶縁内面２１４は、制御ユニット２００を使用するときにユーザが見ることができない内表面である。さらに、本実施形態では、一例として、キー２３０を含む制御ユニット２００を使用するが、他の実施形態では、制御ユニット２００は、サウンドを集音するために使用されるマイクロフォン２４０のみを提供してもよく、キー２３０を含まなくてもよい。
【００２３】
従来技術との違いを比較すると、従来技術では、回路基板上に回路を形成した後に、ケース内に回路基板を固定させるのに対し、本実施形態では、回路基板の使用を省いて、ケース２１０の絶縁内面２１４上に金属回路２２０を直接形成する。このようにして、マイクロフォン２４０の上部とマイクロフォン２４０上方のケース２１０との間の距離を、設計寸法内で容易に調整することができる。なぜなら、この距離は、ケース２１０の寸法誤差、マイクロフォン２４０の寸法誤差及びマイクロフォン２４０を絶縁内面２１４に固定させる際の組立誤差によってのみ影響されるからである。このようにして、マイクロフォン２４０によって、最良のサウンド受容効果が達成されることを、容易に保証することができる。加えて、キー２３０の上部とマイクロフォン２４０の上方にあるケース２１０との間の距離を、設計寸法内で容易に調整することができ、さらに、キー２３０がケース２１０によって押されたままとなり、釈放できなくなる可能性はより低下し、さらに、製品の歩留まりが上がる。
【００２４】
図４は、マイクロフォンとケースとの間の距離がマイクロフォンの感度に及ぼす影響を示している。図４を参照すると、曲線Ｃ１２は、マイクロフォンの上部とマイクロフォンの上方のケースとの間の距離が理想的な設計値を維持している状況を示し、マイクロフォンの感度が、様々な周波数に対して、ほぼ同一であることが分かる。曲線Ｃ１４は、マイクロフォンの上部とマイクロフォンの上方のケースとの間の距離が理想的な設計値より大きい状況を示し、マイクロフォンの感度が、ある周波数に対して、理想的でなくなることが分かる。従って、図３に示す制御ユニット２００を採用することにより、マイクロフォン２４０の感度をより良くし、より低い歪でサウンド信号を録音することができる。
【００２５】
本実施形態のケース２１０は、受音孔２１６をさらに有する。受音孔２１６の位置は、マイクロフォン２４０と一致する。本実施形態の金属回路２２０は、ケース２１０の絶縁内面２１４内に埋め込まれる。しかしながら、他の実施形態の金属回路は、ケース２１０の絶縁内面２１４内に埋め込まれていなくてもよい。加えて、本実施形態のケース２１０は、均一素材から構成され、つまり、ケース２１０全体の材料は、一様であり、典型的な回路基板のように複数の材料による積層で形成されていない。例えば、金属回路２２０を形成するとき、絶縁内面２１４上に特殊な素材を有しているケース２１０を採用してもよく、活性化されている特殊素材の一部は、電気メッキ中に、金属イオンを引き付けてその上に堆積することができ、活性化されていない部分は、金属メッキ中に、その上に堆積される金属イオンを持たない。従って、設計者により所望されるパターンを有する金属回路２２０を、絶縁内面２１４上に形成することができる。加えて、制御ユニット２００は、導電接着剤２５２及び保護接着剤２５４を選択的に含むことができる。導電接着剤２５２は、絶縁内面２１４上の信号ケーブル５４と金属回路２２０とを接着接合するのに用いられる。導電接着剤２５２は、従来の高温半田付けがケース２１０を破損するという問題を防ぐために、選択的に使用することができる。保護接着剤２５４は、キー２３０の周囲と絶縁内面２１４との間に沈着させて、キー２３０と絶縁内面２１４との間の接着強度を増強させ、全体的な信頼性をさらに高めることができる。もちろん、保護接着剤２５４は、接着強度を高めるために、マイクロフォン２４０と絶縁内面２１４との間に使用してもよい。
【００２６】
図５は、本発明の他の実施形態に係るオーディオ装置の制御ユニットの断面図である。本実施形態におけるオーディオ装置の制御ユニット３００と、図３の制御ユニット２００は似ており、ここでは違いのみを説明する。制御ユニット３００のケース３１０は、固定部３１２及び可動部３１４を含む。金属回路３２０は、固定部３１２の絶縁内面３１２Ａ上に位置し、可動部３１４は、固定部３１２に可動自在に組み付けられ、キー３３０を押すために使用される。金属回路３２０を固定部３１２の絶縁内面３１２Ａ上に位置させることによって、回路基板を使用することに起因する全体的な寸法誤差の増加を回避することができ、さらに、製品の歩留まりを上げることができる。加えて、可動部３１４は、固定部３１２に対して僅かに動くように、固定部３１２に可動自在に組み付けられ、これは、可動部３１４及び固定部３１２が、互いに動けないように、固定されることを意味しない。原理的には、可動距離は、キー３３０を押すのに十分な距離とすべきである。本実施形態におけるキー３３０の数は、３つであり、保護接着剤３５４で絶縁内面３１２Ａ上に固定される。しかしながら、それは、本発明に対する限定と解釈されるべきではなく、キーの数は、多くても少なくてもよい。本実施形態の可動部３１４は、キー３３０の数に従って、３つの別個の可動可能な部分に分けることができる。もちろん、可動部３１４をケース３１０上に配置させなくても、ケース３１０それ自体の弾性変形量を用いて、キー３３０を押し下げる目的を達成することができる。
【００２７】
本実施形態のケース３１０は、２つのライン入力ポート３１６をさらに有する。各ライン入力ポート３１６の内側には、遮断構造物３１６Ａがあり、ライン入力ポート３１６を通る信号ケーブル５４の部分はＳ字状にする。遮断構造物３１６Ａを設けることによって、信号ケーブル５４が引っ張られるときに、適切な固定力を信号ケーブル５４に与えることができ、信号ケーブル５４と金属回路３２０との間の接続関係が、破損するのを防ぐことができる。加えて、絶縁内面３１２Ａ上の信号ケーブル５４及び金属回路３２０は、導電接着剤３５２で接着接合するのがよい。遮断構造物３１６Ａのための構造は複数あり、ここに開示した形状は、一例に過ぎない。信号ケーブル５４を、Ｓ字状にするとは、遮断構造物３１６Ａのために信号ケーブル５４が曲がることであるが、文字Ｓと同じようにすることに限定するものではない。加えて、本実施形態のケース３１０は、受音孔３１８Ａ及びマイクロフォン３４０を囲む隔離壁３１８をさらに有する。隔離壁３１８は、マイクロフォン３４０の受音効果を高めるのに役立つ。加えて、生じる寸法誤差は、回路基板の使用を省くことで低減し、マイクロフォンの上方のチャンバは、容易に漏れなくなる。
【００２８】
図６は、マイクロフォンとケースとの間に漏れがあるか、ないかが、マイクロフォンの感度に及ぼす影響を示している。図６を参照すると、曲線Ｃ１６は、マイクロフォンの上方のチャンバに漏れがない場合の状況を示し、マイクロフォンの感度が、様々な周波数に対して、ほぼ同一であることが分かる。曲線Ｃ１８は、マイクロフォンの上方のチャンバに漏れがある場合の状況を示し、マイクロフォンの感度が、ある周波数に対して、理想的ではなくなることが分かる。従って、図５に示す制御ユニット３００を採用することにより、マイクロフォン３４０の感度をより良くし、より低い歪でサウンド信号を録音することができる。
【００２９】
まとめると、本発明によるオーディオ装置は、制御ユニット内で、ケースの内面上に金属回路を直接形成し、従来技術において回路を担持するのに用いられていた回路基板の使用を省いている。従って、回路基板の寸法誤差、電子部品及び回路基板の組み立て誤差、及び回路基板の組み立て誤差が、最終寸法に影響を及ぼす可能性が低減する。このようにして、マイクロフォンのためのより良い受音効果をより簡単に得ることができ、さらに、キーをセットする際の操作感がより良くなる。
【００３０】
当業者であれば、本発明の範囲及び趣旨を逸脱しないで、本発明の構造に様々な修正や変形をすることができることは明らかであろう。前述したことを考慮して、本発明の修正及び変形が特許請求の範囲内及びそれらの均等物の範囲内に含まれるものとすれば、本発明はそれらを網羅するものと意図される。
【産業上の利用可能性】
【００３１】
本発明は、音声録音に適用することができるオーディオ装置に関する。
【符号の説明】
【００３２】
１００  制御ユニット
１１０  回路基板
１２０  キー
１３０  マイクロフォン
１４０  ケース
１４２  チャンバ
５０Ａ，５０Ｂ  オーディオ装置
５２  イヤホンユニット
５４  信号ケーブル
５６  雄コネクタ
５８  雌コネクタ
２００，３００  制御ユニット
２１０，３１０  ケース
２１２  外観面
２１４，３１２Ａ  絶縁内面
２１６，３１８Ａ  受音孔
２２０，３２０  金属回路
２３０，３３０  キー
２４０，３４０  マイクロフォン
２５２，３５２  導電接着剤
２５４，３５４  保護接着剤
３１２  固定部
３１４  可動部
３１６  ライン入力ポート
３１６Ａ  遮断構造物
３１８  隔離壁
Ｃ１２，Ｃ１４，Ｃ１６，Ｃ１８  曲線
【図１】
2016123068.tif 000003
【図４】
2016123068.tif 000004
【図６】
2016123068.tif 000005
【図２Ａ】
2016123068.tif 000006
【図２Ｂ】
2016123068.tif 000007
【図３】
2016123068.tif 000008
【図５】
2016123068.tif 000009
【外国語明細書】
2016123068000001.pdf